Podtech/llm-jp-corpus-v4-ja_patent huggingface dataset:
(57)【要約】      （修正有）【課題】重しを必要とせずに本を垂直に保持できる本立てを提供する。【解決手段】左側に置く支持体は平板状の垂直部２の下面の後部に細長い板状の水平部３の左端を取り付けたもので、右側に置く支持体は平板状の垂直部２の下面の前部に細長い平板状の水平部３の右端を取り付けたものである。左側に置く支持体の水平部３を右側に置く支持体の垂直部２の下面の後部と床面の間の隙間４に貫通させ、右側に置く支持体の水平部３を左側に置く支持体の垂直部２の下面の前部と床面の間の隙間４に貫通させると、左側に置く支持体と右側に置く支持体は左右横方向に動かせるようになる。本を水平部３の上に置き、左側の支持体と右側の支持体で本を左右両側から押しつけると、本の重さで水平部３は床面に押しつけられ、支持体は動かなくなり、本は垂直に立った状態で保持される。【選択図】図７
0003234204.tif 000002
【実用新案登録請求の範囲】
【請求項１】
Ｌ形の形状で水平部を長くしたもの２つを水平部を互いに内側に対向して置き本を水平部の上に置き垂直部で本を左右両側から押して本を垂直の状態で保持する本立て。
【考案の詳細な説明】
【技術分野】
【０００１】本考案は本立てに関するものである。
【背景技術】
【０００２】現在使用されている本立てはＬの形状をした支持体２個と重し２個から構成され、支持体の水平部を外側にして垂直部で本を左側と右側からはさみ水平部の上に重しを置いて支持体が床面に押しつけられて動かないようにして本を垂直に立った状態に保持しているので本を本を出し入れする毎に重しを動かさねばならず面倒である。
【考案の概要】
【考案が解決しようとする課題】
【０００３】重しを必要とせずに本を垂直に立った状態に保持出来る構造とする。
【課題を解決するための手段】垂直部が平板状で水平部が細長い板状のＬ形の形状のもの２個を水平部を内側にして本を水平部の上にのせて垂直部で本を左右両側から押さえて本を垂直に立った状態に保持する。
【図面の簡単な説明】
【０００４】
【図１】本考案の構造を示す平面図
【図２】本考案の構造を示す正面図
【図３】本考案の構造を示す側面図  左側から見ても右側から見ても同一視なので本図で左側面図と右側面図を表わす。
【図４】使用時を示す平面図
【図５】使用時を示す正面図（Ａ−Ａ断面）
【図６】使用時を示す正面図（Ｂ−Ｂ断面）
【図７】使用時を示す斜視図
【実施例】
【０００５】図１と図２と図３で構造を説明する。左側に置く支持体１と右側に置く支持体１の２個の支持体１で構成され左側に置く支持体１は平板状の垂直部２の下面の後部と細長い板状の水平部３の左端部の上面を互いに直角に取り付け垂直部３の下面の前部と床面（本立てを置く物の上面を意味する。以下床面と称す）の間に隙間４を作り、右側に置く支持体１は平板状の垂直部２の下面の前部と細長い平板状の水平部３の右端部の上面を互いに直角に取り付け垂直部２の下面の後部と床面の間に隙間４を作る。【０００６】図４，図５，図６，図７で使用する場合を示す。左側に置く支持体１の水平部３を右側に置く支持体１の垂直部２の下部の隙間４に貫通させ右側に置く支持体１の水平部３を左側に置く支持体１の垂直部２の下部の隙間４に貫通させて左側と右側の支持体１が左右横方向に動けるようにして本を水平部３の上に置き左右の支持体１の垂直部２で本を左右両側から押しつけると本の重さで水平部３が床面に押しつけられた支持体１は動かなくなり本は垂直に立った状態で保持される。
【符号の説明】
【０００７】１．支持体
２．垂直部
３．水平部
４．垂直部の下面と床面の間の隙間
【図１】
0003234204.tif 000003
【図２】
0003234204.tif 000004
【図３】
0003234204.tif 000005
【図４】
0003234204.tif 000006
【図５】
0003234204.tif 000007
【図６】
0003234204.tif 000008
【図７】
0003234204.tif 000009
(57)【要約】      （修正有）【課題】歯の清掃及び歯周病予防を目的とし、ブラシ部を噛む行為を繰り返すことで上下歯同時に清掃しながら歯茎マッサージが行える歯ブラシを提供する。【解決手段】歯ブラシは、口内に入るブラシ部２が下方に湾曲（１０５度〜１１０度）しており、握り部１を垂直に持ち、ブラシ部２を上下に噛む行為を繰り返すことで上下歯の表面、裏面、歯間、歯肉ポケットを同時に効果的に清掃し、併せて、歯肉マッサージ効果を生み、歯周病予防が可能となる。また、握り部１は左右に素早く細かく回しながら固定できるよう六角形となっている。【選択図】図２
0003234219.tif 000002
【実用新案登録請求の範囲】
【請求項１】
口腔衛生のために歯間清掃と歯周病予防を目的とし、ブラシ部を噛む行為を繰り返すことで上下歯同時に清掃しながら歯垢を除去し、歯肉へのマッサージ刺激可能な歯ブラシを提供する。
【考案の詳細な説明】
【技術分野】
【０００１】  本考案は、歯垢除去と歯茎マッサージを兼ねた、歯ブラシに関するものである。
【背景技術】
【０００２】  口腔衛生のために、従来は通常の歯ブラシを使用して、その後歯間ブラシを使用していた。歯間ブラシは歯の一本一本の隙間に突き刺すように前後運動を繰り返し、歯垢を掻き出すタイプが主であるが、手間がかかり、歯茎を傷つけやすい。また、手の障害者、高齢者等への口腔衛生に介助者の負担が大きい。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  口腔衛生には通常の歯ブラシと歯間ブラシ使用は二度手間となっている。また、手の障害者、寝たきり療養者及び高齢者には負担が大きく介助者の支援も必要となっている。従って口腔衛生を自力で行い、且つ歯周病予防のための歯茎マッサージも同時に行え、前述の欠点を解決しようとするものである。
【課題を解決するための手段】
【０００６】  本考案は、歯ブラシ部分が軸の上下両面に取付けられたもので、ブラシ部分を上下歯に当て、カチカチと噛み合わせる動作を重ねることでブラシ部分が歯の隙間部分に様々な角度から入り込み、歯の表面、裏面、歯間、歯周ポケットを効果的に清掃しつつ歯茎のマッサージ効果も生まれる。
【考案の効果】
【０００７】  上述のように、本考案により上下歯同時に、通常の噛み合わせる行為により歯垢除去と歯茎マッサージ機能を揃え、手の障害者、寝たきり療養者及び高齢者にも介助者の負担軽減と併せて自力で比較的容易に口腔衛生が可能となる。
【図面の簡単な説明】
【０００８】
【図１】本考案の実施例を示す図である。
【図２】本考案の正面図である。
【図３】（ａ）真上から見た図である  （ｂ）斜め上から見た図である。
【考案を実施するための形態】
【０００９】  歯ブラシを垂直に手に持ち、ブラシ部分を口に入れ、左右の上下歯それぞれの奥と前方を前後に、時には斜めに移動させながらカチカチと噛み合わせる行為を繰り返すことでブラシ部分が歯の隙間部分に様々な角度から入り込み、歯の表面、裏面、歯間、歯周ポケットを効果的に清掃と歯茎のマッサージを行う。
【実施例】
【００１０】  図２の歯ブラシを片手で垂直に持ち、ブラシ部を口に入れ、左右の上下歯それぞれの奥と前方を前後に、時には斜めに移動させながらカチカチと噛み合わせる行為を繰り返す。【００１１】  以下、添付図面に従って実施例を説明する。１は硬質ウレタン等適宜素材で出来ており、手で垂直に立てて、口中に入れやすい角度（１０５度〜１１０度）に湾曲しており、握り部は親指で固定し、口中で左右の歯に移動しやすいよう六角形になっている。２のブラシ部は上下歯用に設置されている。【００１２】  ３は真上から、４は斜め上方から見た図である。ブラシ部の中央部は上下歯の噛み合わせ厚みを軽減するため側縁部よりやや低くなっている。
【符号の説明】
【００１３】  １  歯ブラシ取手
２  ブラシ部分
３  真上図
４  斜め上方図
【産業上の利用可能性】
【００１４】  本考案により上下歯同時に、通常の噛み合わせる行為により歯垢除去と歯茎マッサージ機能を揃えているため、手の障害者、突然の利き手不自由者、寝たきり療養者及び高齢者等にも介助者の負担軽減と併せて自力で比較的容易に口腔衛生が可能となり、広く人口に膾炙する。
【図１】
0003234219.tif 000003
【図２】
0003234219.tif 000004
【図３】
0003234219.tif 000005
【手続補正書】
【提出日】令和3年6月23日(2021.6.23)
【手続補正１】
【補正対象書類名】実用新案登録請求の範囲
【補正対象項目名】全文
【補正方法】変更
【補正の内容】
【実用新案登録請求の範囲】
【請求項１】
ブラシ部の上下に相対してブラシが埋め込まれるとともに、歯ブラシ本体に角度がついていることを特徴とする歯ブラシ。
(57)【要約】      （修正有）【課題】片手につまみ器と飲み物器を持てるようにして、片手を自由に箸・フォークを持って食事ができ、飲み物器を持って飲み終えて、片手の飲み物器を受け器台にのせて、即つまみをとって食事ができる、組み立て一体型取っ手付き器を提供する。【解決手段】取っ手と器を組み立て式一体型を作る。取っ手２の円柱の上部と下部の一部に、溝を刻んだ雄ネジを設ける。つまみ乗せ器１の底に円筒状の穴の内面に溝を刻んだ雌ネジを設けて、器受け器台４の一部に取っ手を継ぐ円筒状の穴の内面に溝を刻んだ雌ネジを設け、飲み物器３を乗せ固定できる円筒の溝を設ける。【選択図】図２
0003234215.tif 000002
【実用新案登録請求の範囲】
【請求項１】
取っ手と器を組み立て式一体型をつくる
【請求項２】
取っ手の上部と下部に雄溝ネジを設ける
【請求項３】
つまみ乗せ器の底に円筒状の穴を設け内面に溝を刻んだ雌ネジを設ける
【請求項４】
器受け器台の一部に取っ手を円筒状の穴の内側に溝を刻んだ雌ネジを設け、飲み物器を乗せ固定できる円筒の溝を設ける。
【考案の詳細な説明】
【技術分野】
【０００１】  本考案は、キャンプ旅行や立食パーティーの食事の時、つまみ器と飲み物器を片手で持つことが出来るようにして、もう片方の手で箸・フォークをもって食事が出来るようにする。
【背景技術】
【０００２】  今までキャンプ旅行や立食パーティーの食事、▲１▼つまみ器▲２▼飲み物器▲３▼箸・フォークがあり左手で▲１▼つまみ器を持って、▲２▼右手で箸かフォークでつまみを食べる。▲２▼飲み物器を右手に持って飲むが、続けてつまみを取って食べる時は、一旦飲み物器を脇に置いてからつまみを取って食べる。この飲み物器を一旦脇に置いてから、つまみを取って食べることの繰り返しで食事をしていた。
【考案の概要】
【考案が解決しようとする課題】
【０００３】  片手につまみ器を持って、もう片方の手に箸・フォークを持って食べ物をつまんで食べ、飲み物器を持って飲み、終わったら飲み物器を一旦手から離し脇に置いてからつまみを取って食べる。この飲み物器を一旦脇に置いてから、つまみを取って食べることの繰り返しで食事をしていた。これを片手につまみ器と飲み物器持てるようにして、片手を自由に箸・フォークを持って食事ができ、飲み物器を持って飲み終えて、片手の飲み物器を受け器台に乗せて、即つまみをとって食事が出来る。
【課題を解決するための手段】
【０００４】  取っ手と器を組み立て式一体型を作る。取っ手上部と下部に溝ネジを設ける。▲１▼取っ手円柱の上・下の一部に、溝を刻んだ雄ネジを設ける。▲２▼つまみ乗せ器の底に円筒状の穴を設け内面に溝を刻んだ雌ネジを設ける。▲３▼受け器台の一部に取っ手と継ぐ円筒状の穴の内側に溝を刻んだ雌を設ける。この▲１▼取っ手と▲２▼つまみ器と▲３▼受け器台を組立一体にして使うことで可能にする。
【考案の効果】
【０００５】  この発明の組み立て式一体型の取っ手と器は、片手につまみ器を持って、もう片方の手でコップを持つと、箸・（フォーク）が持てなくなり、つまみを取って食べれなくなり、コップを一旦脇に置いてから箸・フォークにもちかえる動作がなくなる。片手で持ち歩きが出来る、組み立て式一体型の取っ手と器にすることで、取っての上につまみ器があり、取っ手の下に受け器にコップを置けるので片方の手が空くので、箸・（フォーク）を持って食べる。飲む食べる飲む食べるの手の動きを滑らかにすることを可能にする。
【図面の簡単な説明】
【図１】  側面図
【図２】  断面図
【図３】  側面図
【図４】  平面図
【図５】  断面図
【図６】  平面図
【図７】  断面図
【図８】  平面図
【図９】  断面図
【産業上の利用可能性】  本考案は、（考案の名称）を製造する産業で利用される。
【符号の説明】  １  つまみ用器
２  取って・継手
３  飲み物器
４  器受け器
５  溝を刻んだ雄ネジ
６  溝を刻んだ雄ネジ
７  溝を刻んだ雌ネジキャップ
８  溝を刻んだ雌ネジキャップ
９  溝を刻んだ雌ネジ
１０  つまみ用器
１１  溝を刻んだ雌ネジ
１２  つまみ用器
１３  溝を刻んだ雌ネジ
【図１】
0003234215.tif 000003
【図２】
0003234215.tif 000004
【図３】
0003234215.tif 000005
【図４】
0003234215.tif 000006
【図５】
0003234215.tif 000007
【図６】
0003234215.tif 000008
【図７】
0003234215.tif 000009
【図８】
0003234215.tif 000010
【図９】
0003234215.tif 000011
【手続補正書】
【提出日】令和3年3月22日(2021.3.22)
【手続補正１】
【補正対象書類名】実用新案登録請求の範囲
【補正対象項目名】全文
【補正方法】変更
【補正の内容】
【実用新案登録請求の範囲】
【請求項１】
取っ手と器（組み立て式一体型）にする。
▲１▼取っ手の上部と下部に雄溝ネジを設けて、▲２▼おつまみ乗せ器の底に円筒状の穴を設けて内面に雌ネジを設けて、▲３▼器受け器台の一部に円筒状の穴を設け雌ネジを設け、飲み物器を乗せて固定できる円筒の溝を設ける。▲４▼組み立て方は、取っ手の上部の雄溝ネジをつまみ乗せ器の底の円筒状の雌ネジに差込み回転させて締め固定し、取っ手の下部の雄溝ネジを、器受台の穴の雌ネジに差し込み回転させて締め固定することで、取っ手と器が（組み立て式一体型）にできる。
【手続補正書】
【提出日】令和3年6月17日(2021.6.17)
【手続補正１】
【補正対象書類名】実用新案登録請求の範囲
【補正対象項目名】全文
【補正方法】変更
【補正の内容】
【実用新案登録請求の範囲】
【請求項１】
取っ手の上部と下部雄溝ネジを設けて、おつまみ乗せ器の底に円筒状の穴を設けて内面に雌ネジを設けて、器受け器台の一部に円筒状の穴を設け雌ネジを設け、飲み物器を乗せて固定できる円筒の溝を設け、取っ手の上部の雄溝ネジをつまみ乗せ器の底の円筒状の雌ネジに差し込み回転させて締め固定し、取っ手の下部の雄溝ネジを器受台の穴の雌ネジに差し込み回転させて締め固定する、組み立て式一体型取っ手付き器。
(57)【要約】      （修正有）【課題】スポーツやイベントで応援する為のメガホン型又は遊具用バット型用具を提供する。【解決手段】メガホン型と遊具用バット型用具は、メガホン１の中にリボン又はテープ２を付け、リボン又はテープ２の糸を出した状態で応援する。【選択図】図２
0003234294.tif 000002
【実用新案登録請求の範囲】
【請求項１】
メガホン型はスポーツやイベントで応援する為の用具であり、メガホンの中に短冊状（色付き）のリボン又はテープ（紙又は布）を出し応援する、終われば収納する。
【請求項２】
バット型はスポーツやイベントで応援する為の用具であり、バットの中に短冊状（色付き）のリボン又はテープ（紙又は布）を出して応援する、その後、終われば中に収納する。
【考案の詳細な説明】
【技術分野】
【０００１】本考案はメガホン型とバツト型のスポーツや各種イベントなどの場所で使用する、バツトは遊具型。
【背景技術】
【０００２】  このメガホン型バット型小型で持ち運び安して楽しく華やかに応援が出来るメガホン型バット型の内部にリボン又は紙及び布テープが収納して有り応援の時に早く出し入れが出来る。
【先行技術文献】
【特許文献】
【０００３】
【特許文献】
【非特許文献】
【考案の概要】
【考案が解決しよとする課題】
【０００４】」
従来メガホンはウィルスに対応が出来ず応援する事が出来ず声のみ応援する事によりウイルス対策にも悪く  本考案はリボン又はテープ又は布を短冊状にし色付きメガホン内部に収納てあるリボン又はテープを出し応援する。
【０００５】  本考案メガホン又はバット型はリボン又はテープの出し入れを行うのは収納は糸を引く事で収納する事が出来る
出し方は糸をゆるめ中のリボン又はテープ出し応援する。
【課題を解決するための手段】
【０００６】    本考案はメガホン及び遊具用バット型に色付き短冊状を１・３に固定し糸を引く事で収納する事が出来、又は糸を緩めリボン又はテープ（色付き）を出し応援が出来る
【本考案の効果】
【０００７】  本考案は今有るメガホン及び遊具用バットに加工し簡単に取り付けが出来又はメガホン及び遊具用バット内に取り付け有るリボン又はテープの色を取り替える事が出来る。
メガホン及び遊具用バットの中からリボン又はテープを取り出し応援する。
【図面の簡単な説明】
【０００８】
【図１】  メガホン型リボン又はテープを収納した横図面
【図２】  メガホン型リボン又はテープの外に出した横図面
【図３】  遊具用具バット型リボン又はテープを収納した横図面
【図４】  遊具用具バット型でリボン又はテープを出した横図面
【図５】  メガホンの上面図
【図６】  メガホンの下図面
【考案を実施する為の形態】
【０００９】  遊具用バットに加工し穴をあけ穴から糸を通し遊具用バットの中短冊状のリボン又はテープに（図３・４）に固定し糸を緩めたり引く事より遊具用中のリボン又はテープの出し入れが出来る。
【実施例】  メガホンの中に収納して有るリボン又はテープ  図１・６の糸を緩めリボン又はテープの糸を出しスポーツやイベントで応援する為の用具。
遊具用バットも中のリボン又はテープを出しスポーツやイベントで応援する為の用具
又は応援が終れば元メガホンやバットの中に収納することが出来る
【符号の説明】
【００１０】  １        メガホンの本体収納図
２        リボン又はテープ
３        リボン又はテープ取り付け台
４        リボン又はテープの用具出し入れ糸
５        糸取り出し穴
６        リボン又はテープの長の調整する金具
【図１】
0003234294.tif 000003
【図２】
0003234294.tif 000004
【図３】
0003234294.tif 000005
【図４】
0003234294.tif 000006
【図５】
0003234294.tif 000007
【図６】
0003234294.tif 000008
(57)【要約】      （修正有）【課題】畔が高くて畔の上から人間の手が届かない場所でも、畔の上を歩きながら水田内に確実にしかも楽に薬剤を散布できるので、農作業の苦労の軽減に貢献することができる、長柄の構造を持つ容器入り水溶薬剤散布用具を提供する。【解決手段】適度な長さを持つ軽量なステンレス製のパイプ１を用意し、その先端に薬剤入りの容器を簡単に固定するゴム製のリング３を締め具２で取り付けて、畔の上を歩きながら水田内に確実にしかも楽に薬剤を散布できるような用具を作成し、この用具を使用することにより問題点を解決している。【選択図】図２
0003234298.tif 000002
【実用新案登録請求の範囲】
【請求項１】
稲作農業者が田植え後、除草剤の初期剤である容器入りの水溶性の薬剤を水田に撒くときに、畔が高くて畔の上から人間の手が届かない場所でも、撒き手が自ら水田に入ることなく、畔の上を歩きながら水田内に確実にしかも楽に薬剤を散布できる、長柄の先に容器を固定する装置をつけた構造を持つ散布用具
【考案の詳細な説明】
【技術分野】
【０００１】  本考案は、水田に容器入り水溶性薬剤を畔の上から確実に撒くために使用する長柄の先に容器を固定する装置を付けた用具に関するものである。
【背景技術】
【０００２】  稲作農業者は水溶性の本田除草剤を散布するとき、容器を手に持って畔の上から撒いているが、なかなかうまい具合に薬剤が水田の中には入らない。特に高さのある大きい畔の場合は難しい。そのような場合に、人間が水田の中に入り撒いているが、歩きにくく時間がかかる。
【考案の概要】
【考案が解決しようとする課題】
【０００３】  除草剤の初期剤である水溶性の薬剤を水田に撒くときに、畔が高かったりすると、畔の上から容器を直接手に持って撒いては薬剤が水田の中に確実には入りにくい。確実に水田の中に撒くために、撒き手が水田に入り歩いて撒くというのは、歩きにくいので大変作業がしにくい。そこで長柄の専用用具を開発し、それを使用して畔の上から撒いて、前述の問題を解決しようとするものである。
【課題を解決するための手段】
【０００４】  本考案は適度な長さを持つ軽量なステンレス製のパイプを用意し、その先端に薬剤入りの容器を簡単に固定する装置を取り付けて、畔の上を歩きながら水田内に確実にしかも素早く薬剤を散布できるような用具を作成し、使用することにより問題点を解決している。
【考案の効果】  上述のように、本考案の長柄の構造を持つ容器入り水溶薬剤散布用具を使用すると、畔が高くて畔の上から人間の手が届かない場所でも、人間が水田内に入って撒かなくても、畔の上から水田内に確実にしかも楽に薬剤を散布できるので、農作業の苦労の軽減に貢献することができる。
【図面の簡単な説明】
【０００５】
【図１】本考案の長柄の構造を持つ容器入り水溶薬剤散布用具の全体構造を示す正面図である。
【図２】本散布用具のパーツの正面図である。
【図３】本散布用具の容器を固定する部分の正面図である。
【図４】薬剤の容器をセットした正面図である。
【図５】本散布用具を使用して散布を想定した場面の正面図である。
【考案を実施するための形態】
【０００６】  適度な長さを持つ軽量なステンレス製のパイプの先に、薬剤の入った容器を固定するゴム製のリングを、締め具でしっかりと取り付けて、散布用具が完成する。
【実施例】
【０００７】  以下、添付図２に従って一実施例を説明する。１は本体となる適度な長さを持つ軽量なステンレス製のパイプである。２は薬剤の入った容器を固定するゴム製のリングで幅１８ミリメートル、長さ３００ミリメートルの薄いゴムバンドを２枚重ねて固定金具で止めてある。３はこれらの装置をパイプに固定する締め具である。これらのパーツを組み立てて散布用具を作る。【０００８】  添付図３に従って一実施例を説明する。前記のように、パーツを組み立てて完成した用具が図３である。ゴム製のリングを取り付けるときに先に出す長さを調節することによって取り付ける容器のサイズに合わせることができる。【０００９】  添付図４に従って一実施例を説明する。前記の装置に薬剤の容器をセットしたところが図４である。パイプを回転させて容器の口を上に向けると散布を中止することができる。【００１０】  添付図５に従って一実施例を説明する。本散布用具を使って、実際に水田での散布を想定したのが図５である。高い畔からも楽に水田に散布することができる。
【符号の説明】  添付図２の符号は次のとおりである。【００１１】  １  ステンレス製のパイプ
２  ゴム製のリング
３  ゴム製のリングをパイプに固定する締め具
【図１】
0003234298.tif 000003
【図２】
0003234298.tif 000004
【図３】
0003234298.tif 000005
【図４】
0003234298.tif 000006
【図５】
0003234298.tif 000007
(57)【要約】      （修正有）【課題】ビニール等を上部に被せるだけで、低温時の保護や風雨除けが可能となる植物苗用育成具を提供する。【解決手段】一対の半円環状部材２と、半円環状部材２同士を一定間隔で固定するための複数の棒状の固定部材３とからなり、半円環状部材２の両端部には他の部材と連結するためのパイプ状の連結部材４を備える植物苗用育成具である。【選択図】図３
0003234254.tif 000002
【実用新案登録請求の範囲】
【請求項１】
一対の半円環状部材と、該半円環状部材同士を一定間隔で固定するための複数の棒状の固定部材とからなり、前記半円環状部材の両端部には他の部材と連結するためのパイプ状の連結部材を備えることを特徴とする植物苗用育成具。
【請求項２】
前記半円環状部材の一方には、前記植物苗用育成具を設置面に対して安定させるための安定化部材を備えることを特徴とする請求項１に記載の植物苗用育成具。
【請求項３】
前記半円環状部材の他方には、載置物を保持するための保持部材を備えることを特徴とする請求項２に記載の植物苗用育成具。
【請求項４】
請求項1に記載の植物苗用育成具を前記連結部材により２個連結したことを特徴とする植物苗用育成具。
【考案の詳細な説明】
【技術分野】
【０００１】
本考案は、野菜等の植物苗の育成を助けるための育成具に関する。
【背景技術】
【０００２】
従来の植物苗の育成手段は、２本の支柱を畑地等の地面に突き刺し、上方をＸ
状にして紐等で結び、これに野菜苗を誘引して育成するのが一般的であった。
【先行技術文献】
【特許文献】
【０００３】
【特許文献１】特開平１１−９１１３
【考案の概要】
【考案が解決しようとする課題】
【０００４】
しかしながら、このような簡易な育成手段の場合、低温時の保護や風雨除けを
設置する際、新たな部材の準備や敷設が必要であった。
【課題を解決するための手段】
【０００５】
本考案の植物苗用育成具は、上記課題を解決するために、一対の半円環状部材
と、該半円環状部材同士を一定間隔で固定するための複数の棒状の固定部材と
からなり、前記半円環状部材の両端部には他の部材と連結するためのパイプ状
の連結部材を備えることを特徴とする。
【０００６】
また、本考案の植物苗用育成具は、前記半円環状部材の一方には、前記植物苗
用育成具を設置面に対して安定させるための安定化部材を備えることを特徴と
する。
【０００７】
また、本考案の植物苗用育成具は、前記半円環状部材の他方には、載置物を保
持するための保持部材を備えることを特徴とする。
【０００８】
さらに、本考案の植物苗用育成具は、前記連結部材により２個連結したことを
特徴とする。
【考案の効果】
【０００９】
本考案の植物苗用育成具を用いれば、ビニール等を上部の半円環状部材に被せるだけで、低温時の保護や風雨除けが可能となる。
【図面の簡単な説明】
【００１０】
【図１】本考案の植物苗用育成具の基本構造を示す斜視図である。
【図２】本考案の植物苗用育成具の基本構造に付加部材を追加した構造を示す斜視図である。
【図３】図１の植物苗用育成具を２つ連結した状態を示す斜視図である。
【図４】本考案の植物苗用育成具を実際の野菜苗に使用し、さらにビニール製の風雨除けで覆った状態を示す図である。
【考案を実施するための形態】
【００１１】
以下、本発明の実施形態について図面に従って説明する。図１は本考案の植物苗用育成具の基本構造を示す斜視図である。図１において、植物苗用育成具１は、一対の半円環状部材２が４本の棒状の固定部材３により連結固定されており、前記半円環状部材２の両端部には、パイプ状の連結部材４が挿入されている。上記半円環状部材２や上記固定部材３の素材としては、金属製部材に塗装したものや、金属製部材をビニールで被覆したものを用いている。なお、上記半円環状部材２への上記固定部材３の固定の仕方は、溶接でもよいし、上記固定部材３の端部を折り曲げて上記半円環状部材２へ絡ませるようにしてもよい。
【００１２】
図２は本考案の植物苗用育成具の基本構造に付加部材を追加した構造を示す斜視図である。図２において、図１と同じ部材には同番号を付し、詳しい説明は省略する。一対の半円環状部材２の一方には、３本の安定化部材５の一端部が、回動自在に適当な間隔にて取り付けられており、前記安定化部材５を上記固定部材３と平行に保持すれば、地面に突き刺して一方の半円環状部材２を地面に対して強固に固定することができる。また、前記安定化部材５を図２に示すように、前記半円環状部材２の外側に放射状に支持することによって、地面に突き刺すことができない状況でも、一方の半円環状部材２を地面に対して安定固定することができる。さらに、他方の半円環状部材２には、互いに直行する保持部材６が固定されており、植物苗用育成具１の強度を高めている。
【００１３】
図３は図１の植物苗用育成具を２つ連結した状態を示す斜視図である。図３において、一方の半円環状部材２の両端部が、他方の半円環状部材２の両端部と金属製やビニール製のパイプ状の連結部材で結合されることにより、２つの植物苗用育成具１は連結され、円筒形状の植物苗用育成具を形成することができる。
【００１４】
図４は本考案の植物苗用育成具を実際の野菜苗に使用し、さらにビニール製の風雨除け７で覆った状態を示す図である。図４は、図２に示す植物苗用育成具を連結部材４で結合したものを、植えられた野菜苗８に被せて保持し、さらに植物苗用育成具全体を風雨除け７で覆った状態である。この場合、前記保持部材６は風雨除け７の下方へのたわみを防止する役目も果たしている。なお、本使用例では円筒形状の植物苗用育成具を示したが、２つの植物苗用育成具１を連結する際に、間に棒状の部材を適宜介在させることにより、横に長い植物苗用育成具を形成することができ、複数の野菜苗をまとめて風雨除けで覆うことも可能になる。
【符号の説明】
【００１５】
１・・・植物苗用育成具、２・・・半円環状部材、３・・・固定部材、４・・・連結部材、５・・・安定化部材、６・・・保持部材、７・・・風雨除け、８・・・野菜苗
【図１】
0003234254.tif 000003
【図２】
0003234254.tif 000004
【図３】
0003234254.tif 000005
【図４】
0003234254.tif 000006
(57)【要約】      （修正有）【課題】飲食時に邪魔にならず、快適に食事・飲食ができる飲食用マスクを提供する。【解決手段】飲食用マスクは、簡単に三つ折りにできるように折り目６、７を設け、表面の所定箇所に４個の磁石４（ａ）、４（ｂ）、５（ａ）、５（ｂ）を設けるとともに、耳掛け紐８を三つ折りした時の縦幅で耳に掛かる場所に取り付けた。【選択図】図１
0003234513.tif 000002
【実用新案登録請求の範囲】
【請求項１】
マスク全体を縦方向に三分割する二本の折り目を有し、この折り目により、マスクの上部から順に、第一の領域、第二の領域および第三の領域としたとき、前記第一の領域のマスク外側の上方両端部には、一対の磁石が設けられ、前記第二の領域のマスク外側の下方両端部には、他の一対の磁石が設けられており、かつ前記第一の領域の両端部には、一対の耳掛け紐が設けられていることを特徴とする飲食用マスク。
【考案の詳細な説明】
【技術分野】
【０００１】
本考案は、飲食時に使用でき、いわゆるマスク会食時の使用に適したマスクに関する。
【背景技術】
【０００２】
昨今の感染症の大規模な流行を背景に、新しいマナーとしてマスク会食が提案されている。会食の場は一般に、複数人が近距離に集まるため、感染しやすい環境である。特にマスク会食では、食べ物や飲み物を口に運ぶ際にマスクを外し、それ以外の場
合には再びマスクを着用する。常にマスクを外した状態ではないため、会食しながらも、ある程度は感染リスクを抑えることはできる。
【先行技術文献】
【特許文献】
【０００３】
【特許文献１】実用新案登録第3232603号
【特許文献２】実用新案登録第3231369号
【考案の概要】
【考案が解決しようとする課題】
【０００４】
しかしながら、食事中は頻繁にマスクを着脱しなければならないため、マスクを外した時の置き場に困ったり、片方の耳かけ紐を手に取ってマスクを片耳から外した状態にしたり、マスクを顎まで下した状態にしたり、衛生的にも問題があった。
【課題を解決するための手段】
【０００５】
上記課題を解消するために、本考案の飲食用マスクは、マスク全体を縦方向に三分割する二本の折り目を有し、この折り目により、マスクの上部から順に、第一の領域、第二の領域および第三の領域としたとき、前記第一の領域のマスク外側の上方両端部には、一対の磁石が設けられ、前記第二の領域のマスク外側の下方両端部には、他の一対の磁石が設けられており、かつ前記第一の領域の両端部には、一対の耳掛け紐が設けられていることを特徴とする。
【考案の効果】
【０００６】
上述のように本考案の飲食用マスクを使用すれば、感染予防のためのマスクを飲食時に邪魔にならず、快適に食事・飲食ができるようになる。
【図面の簡単な説明】
【０００７】
【図１】本考案の飲食用マスクにおける会話時の使用状態を示す外観図である。
【図２】本考案の飲食用マスクにおける飲食時の使用状態を示す外観図である。
【図３】図２のＢ断面図である。
【考案を実施するための形態】
【０００８】
以下、本考案の実施形態を図１〜図３に基づいて説明する。図１は本考案の飲食用マスクにおける会話時の使用状態を示す外観図、図２は本考案の飲食用マスクにおける飲食時の使用状態を示す外観図、図３は図２のＢ断面図である。図１において、本考案
の飲食用マスクは、マスク全体を縦方向に折り目６及び折り目７により、マスク上部より、第一領域、第二領域及び第三領域に三分割されており、前記第一領域の上部両端部には薄いシート状の小片からなる磁石４ａ、磁石４ｂが固着されている。同様に前
記第二領域の下部両端部にも薄いシート状の小片からなる磁石５ａ、磁石５ｂが固着されている。また、前記第一領域の両側端部には一対の耳掛けひもが取り付けられている。飲食を行わない状態の際には、図１の状態で通常のマスクとして使用する。
【０００９】
飲食時には、前記折り目６及び前記折り目７をマスク表面から見てそれぞれ谷折り及び山折りにすることにより、前記磁石４ａと前記磁石５ａが、前記磁石４ｂと前記磁石５ｂがそれぞれ対となって磁力により引き合い接合するため、図２及び図３に示
すような状態になる。このようにマスク全体を縦方向に短くできるので、口の部分が露出され、飲食を行うことができる。飲食を行わない際には、前記第三の領域を下に引き下げることにより、前記各磁石の接合を外せば図１に示すような状態になる。
【００１０】
上記のように、本考案の飲食用マスクは、マスクを外すことなく着用したまま折り畳むだけで食事摂取を容易にし、会話をするときにはマスクの一部を引き下げることでマスクの機能を果たすことができる。従って、感染予防のためマスクを着用しながら、煩わしさもなく、衛生的に飲食を行うことができる。
【符号の説明】
【００１１】
１・・・第一領域
２・・・第二領域
３・・・第三領域
４a、４b・・・ 磁石
５a、５b ・・・磁石
６ ・・・折り目（谷折り）    
７ ・・・折り目（山折り）
８ ・・・耳掛け紐
【図１】
0003234513.tif 000003
【図２】
0003234513.tif 000004
【図３】
0003234513.tif 000005
(57)【要約】      （修正有）【課題】車両事故時、人体へのダメージを軽減するサイドバンパーを提供する。【解決手段】大型車両が、人身巻き込みを起こさぬように、駆動装置４・各種センサーを有し、巻き込みを防止するためのサイドバンパー５であって、車体に取り付けたセンサー感知により、バンパーガードを自動で下げ、事故時人体へのダメージを軽減するのに役に立つ。【選択図】図２
0003234535.tif 000002
【実用新案登録請求の範囲】
【請求項１】
駆動装置を有した、可動式サイドバンパー。大型車両が、人身巻き込みを起こさぬようにサイドバンパーが、駆動装置を有し、巻き込みを防止するためのサイドバンパー。
作動には、各種センサーを使用する
【考案の詳細な説明】
【技術分野】
【０００１】本考案は、車両運行に対して人身巻き込み事故時、
人体へのダメージを軽減するサイドバンパーに関するものである。
【背景技術】
【０００２】従来の背景技術に、固定式サイドバンパーでガードしている。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】車両が巻き込み事故を起こした場合
人体を後輪で踏みつけ甚大なる損傷を与える。
【課題を解決するための手段】
【０００６】後輪に巻き込まれる前に、ガード用サイドバンパーを下ろし巻き込まれようとする人のダメージを防ぐ。
【考案の効果】
【０００７】巻き込み事故による、人身へのダメージ軽減。
【図面の簡単な説明】
【０００８】
【図１】サイドバンパー通常時
【図２】サイドバンパー作動時
【考案を実施するための形態】
【０００９】車両後方にセンサーを設け感知後、サイドバンパーに取り付けられた
シリンダーにてサイドバンパーを瞬時に下げ、人身へのダメージを軽減する。
【実施例】
【００１０】以下、添付図面に従って実施例を説明する。１は車両フレームであり２・３のスライドシャフト、４のシリンダーが取り付けられ、その先にサイドバンパーが取り付けてある。緊急時に４のシリンダーが下がり、スライドシャフトと共にサイドバンパーが下がる。
【産業上の利用可能性】
【００１１】
【符号の説明】
【００１２】  １，シャーシフレーム
２，ガイドパイプ１
３，ガイドパイプ２
４，昇降用シリンダー
５，サイドバンパー
６，後輪タイヤ
７，前輪タイヤ
【図１】
0003234535.tif 000003
【図２】
0003234535.tif 000004
【手続補正書】
【提出日】令和3年7月15日(2021.7.15)
【手続補正１】
【補正対象書類名】実用新案登録請求の範囲
【補正対象項目名】全文
【補正方法】変更
【補正の内容】
【実用新案登録請求の範囲】
【請求項１】
大型車両が、人身巻き込みを起こさぬようにサイドバンパーが、駆動装置・各種センサー有し、巻き込みを防止するためのサイドバンパー。
(57)【要約】      （修正有）【課題】紙カップを利用しハンドドリップ方式でコーヒーを抽出するカップコーヒーにおいて、安価で、使い捨てができ、さらに本格的なドリップコーヒーが抽出できる円錐形のフィルターを取り入れたカップコーヒーを提供する。【解決手段】パッケージを兼ねる紙カップ１の中に、防湿紙の袋の中に入れた一杯分の挽いたコーヒー豆と、円錐形の紙製または不織布のフィルター２と、フィルターを上に乗せられるように開口部を外側に折り返すための破線の切れ込み加工を施し、組み立て式の足となる部材の加工を施した紙製の円筒形のフィルター受け３とを備え、紙カップの中からコーヒー豆、フィルター、フィルター受けを取り出し、紙カップの上にフィルター受けとフィルターを乗せ、フィルターの中にコーヒー豆を入れ、コーヒー豆の入ったフィルターにお湯を差し入れることで紙カップの中にコーヒーを抽出できる。【選択図】図２
0003234534.tif 000002
【実用新案登録請求の範囲】
【請求項１】
ハンドドリップ方式で淹れるコーヒーにおいて、パッケージを兼ねる紙カップの中に防湿紙の袋の中に入れた一杯分の挽いたコーヒー豆と円錐形のフイルターをフイルター受けの上に乗せられるように開口部を外側に折り返すための破線の切り込み加工を施した円錐形の紙製のフイルターまたは不織布のフイルターを紙製のカップの上に乗せる組み立て式の足となる部材の加工を施した紙製の円筒形のフイルター受けをセットし、紙カップの中からコーヒー豆、フイルター、フイルター受けを取り出し、紙カップの上にフイルター受けとフイルターを乗せ、フイルターの中にコーヒー豆を入れ、コーヒー豆の入ったフイルターにお湯を差し入れることで紙カップの中にコヒーを抽出できるカップコーヒーで、パッケージを兼ねた紙カップの中にいれた円筒形のフイルター受け、紙または不織布のフイルターを紙カップの上に乗せ、フイルターの中にコーヒー豆を入れ、お湯を差し入れることでコーヒーを抽出することを特長としたカップコーヒー。
【考案の詳細な説明】
【技術分野】
【０００１】本考案は、ハンドドリップ方式で淹れるカップコーヒーに関するものである。
【背景技術】
【０００２】従来より、紙カップを利用し紙カップの中に入れたコーヒー、フイルターでコーヒーを淹れる考案がなされており、カップコーヒー、ドリッパーで実用新案登録を検索すると数十件ヒットし、紙カップの中にインスタントコーヒーを入れ蓋をしたカップコーヒーに始まり、数多くの考案が誕生し、またコーヒー豆をフイルターを兼ねた不織布の袋の中に入れ、袋に組立式のコーヒーカップに乗せる紙製の足を取り付けコーヒーカップの上に乗せて抽出するドリップコーヒーと呼ばれている商品が販売されており、特許の有効期間が切れたのか数多くのメーカーから同様の商品が販売されており、このドリップコーヒを紙カップと組み合わせた考案を検索したが見つけだすことができなかったが、すでに実用新案登録願に出願されていると思われる。
【考案が解決しようとする課題】
【０００３】紙カップを利用しハンドドリップ方式でコーヒーを抽出するカップコーヒーにおいて、紙製のカップ、紙製の円筒形の受け台で構成することで安価で、使い捨てができ、さらに紙製で有りながら本格的なドリップコーヒーが抽出できる用に、理想の形状とされている円錐形のフイルターを取り入れ本格的なドリップコーヒーを抽出できるカップコーヒーを一般顧客に提供する。
【課題を解決するための手段】
【０００４】本考案にかかるカップコーヒーにおいて、安価で使い捨て可能なパッケージを兼ねた紙カップに円錐形のフイルターの開口部を外側に折り返すための加工を施した円錐形のフイルターと紙製のカップの上に乗せる組み立て式の足となる部材の加工を施した円筒形のフイルター受けをセットし、紙カップの上にフイルター受けとフイルターを乗せフイルターの中にコーヒー豆を入れ、コーヒー豆の入ったフイルターにお湯を差し入れることで紙カップの中にコヒーを抽出できるようにする。
【考案を実施するための形態】
【０００５】以下に、本考案にかかるカップコーヒーを、その実施の形態を示した図面に基づいて詳細に説明する。
図１は紙カップと紙カップの中に入れるコーヒー豆の入った袋と、円錐形の開口部の外側に折り返すための切り込み加工を施した円錐形のフイルターと紙カップの上に乗せる組み立て式足となる部材の加工を施し、紙カップに乗せられるように足となる部材を組み立てた状態の円筒形のフイルター受けを示す斜視図である。
図２は紙カップの上に乗せてコーヒーを抽出するフイルターとフイルター受けの使用例を示す斜視図である。
【考案の効果】
【０００６】パッケージを兼ね使い捨て可能な紙製カップと紙製フイルター受けと、本格的なドリップコーヒーが抽出できるとされる円錐形の形状のフイルターで構成することで、安価で取扱が簡単で、さらに本格的なドリップコーヒーが抽出することができる。
【図面の簡単な説明】
【０００７】
【図１】図１は本考案にかかるカップコーヒーを構成する、紙カップ、フイルター、フイルター受け、コーヒー豆入り袋を示す斜視図である。
【図２】図２は紙カップの上に乗せてコーヒーを抽出するフイルターとフイルター受けの使用例を示す斜視図である。斜視図である。
【符号の説明】１紙カップ
２フイルター
３フイルター受け
４コーヒー豆入り袋
【図１】
0003234534.tif 000003
【図２】
0003234534.tif 000004
【手続補正書】
【提出日】令和3年7月8日(2021.7.8)
【手続補正１】
【補正対象書類名】実用新案登録請求の範囲
【補正対象項目名】全文
【補正方法】変更
【補正の内容】
【実用新案登録請求の範囲】
【請求項１】
ハンドドリップ方式で淹れるカップコーヒーであって、パッケージを兼ねる紙カップの中に、防湿紙の袋の中に入れた一杯分の挽いたコーヒー豆と、円錐形の紙製または不織布のフィルターと、フィルターを上に乗せられるように開口部を外側に折り返すための破線の切れ込み加工を施し、組み立て式の足となる部材の加工を施した紙製の円筒形のフィルター受けとを備え、紙カップの中からコーヒー豆、フィルター、フィルター受けを取り出し、紙カップの上にフィルター受けとフィルターを乗せ、フィルターの中にコーヒー豆を入れ、コーヒー豆の入ったフィルターにお湯を差し入れることで紙カップの中にコーヒーを抽出できるカップコーヒー。
(57)【要約】      （修正有）【課題】従来のマスクは、保冷剤を収納するポケットを設けたものはあったが、口紅や芳香剤などの携帯用の商品等を収納するポケットはなく、かばんや服のポケット、ズボンのポケットに保管していた。商品を素早く取り出して使用できる、マスクを提供する。【解決手段】マスク１の左右の少なくとも片面に収納ポケット２を設け、耳掛け部４は軟質材でできた痛み軽減手段５が設けられている。【選択図】図１
0003234536.tif 000002
【実用新案登録請求の範囲】
【請求項１】
口覆い部と、前記口覆い部の両側に設けられた耳掛け部とを備えたマスクであって、前記マスクの左右の少なくとも片面に収納ポケットを設けたことを特徴とするマスク。
【請求項２】
前記収納ポケットは、両側面における中央部分が狭く底部分が広い鼓型状に形成した請求項１に記載のマスク。
【請求項３】
前記耳掛け部には軟質材でできた痛み軽減手段が設けられている請求項１乃至請求項２のいずれか１項に記載のマスク。
【請求項４】
前記痛み軽減手段は、軟質材でできており、前記軟質材に収容された芳香剤を前記軟質材を押圧することで前記マスク内に放出するようにした請求項３に記載のマスク。
【考案の詳細な説明】
【技術分野】
【０００１】本考案は、マスクに関するものである。
【背景技術】
【０００２】  従来のマスクは、保冷剤を収納するポケットを設けたものはあったが、携帯用の商品等を収納するポケットはなく、かばんや服のポケット、ズボンのポケットに保管しており、素早く取り出して使用できないという問題点があった。又、請求項３に対する背景としてマスクを長時間使用すると、耳の上部の付け根に痛みが生じることがあるという問題点があった。
【先行技術文献】
【特許文献】
【０００３】
【特許文献１】実用新案登録第３２３１３１６号公報
【考案の概要】
【考案が解決しようとする課題】
【０００４】  本考案は、上記問題点を解決するためになされたものであり、携帯用の商品等を素早く取り出して使用することができるマスクを提供することにある。
【課題を解決するための手段】
【０００５】  上記課題を解決するため、本考案のマスクは、口覆い部と、前記口覆い部の両側に設けられた耳掛け部とを備えたマスクであって、前記マスクの左右の少なくとも片面に収納ポケットを設けたことを特徴とする。
又、本考案のマスクにあっては、前記収納ポケットは、両側面における中央部分が狭く底部分が広い鼓型状に形成しているのが好ましい。
又、本考案のマスクにあっては、前記耳掛け部には軟質材でできた痛み軽減手段が設けられている。
又、本考案のマスクにあっては、前記痛み軽減手段は、軟質材でできており、前記軟質材に収容された芳香剤を前記軟質材を押圧することで前記マスク内に放出するようにしている。
【考案の効果】
【０００６】  本考案のマスクは、口覆い部と、前記口覆い部の両側に設けられた耳掛け部とを備えたマスクであって、前記マスクの左右の少なくとも片面に収納ポケットを設けたことを特徴とするものであるから、マスクの収納ポケットに収納した携帯用の商品等を素早く取り出して使用することができるという効果がある。
又、請求項２のように、前記収納ポケットは、両側面における中央部分が狭く底部分が広い鼓型状に形成しているものは、収納したものが落下しにくいという効果がある。
又、請求項３のように、前記耳掛け部には軟質材でできた痛み軽減手段が設けられているものは、耳の痛みを軽減することができ、長時間のマスクの使用も可能になるという効果がある。
又、請求項４のように、前記痛み軽減手段は、軟質材でできており、前記軟質材に収容された芳香剤を前記軟質材を押圧することで前記マスク内に放出するようにしたものは、芳香剤をマスク内に放出することで芳香剤の成分により、マスク内に香りを供給したり、蒸れによる不快感を軽減することができるという効果がある。
【図面の簡単な説明】
【０００７】
【図１】図１は、本考案のマスクの正面図。
【考案を実施するための形態】
【０００８】  以下、本考案の実施の形態を図１に基づいて詳説すると、マスク１は、マスク１の右側に収納ポケット２を設けているが、左側に設けても両側に設けても構わないものである。マスク１は、口覆い部３と、前記口覆い部３の両側に設けられた耳掛け部４とを備えている。
【０００９】  収納ポケット２は、両側面における中央部分が狭く底部分が広い鼓型状に形成している。収納ポケット２の材質は、プラスチック系、シリコン系、ウレタン系、ゴム質や発泡スチロール系を選択して使用すればよいものである。収納ポケット２は、３Ｄプリンターでも作成できるものであり、マスク１への取付は、溶着・縫い付け・接着などを選択すればよいものである。
【００１０】  収納ポケット２には同状形のリップクリームや口紅を入れ保管することができる。収納ポケット２には幅広の口臭ミントケースも入れて保管することができる大きさにすることもできる。
【００１１】  耳掛け部４の上側には軟質材でできた痛み軽減手段５が設けられている。
【００１２】  痛み軽減手段５は、柔らかい素材のゴム・スポンジ・シリコン等でできており、耳掛け部４の上側にリング状に巻きつけられている。痛み軽減手段５である軟質材に収容された芳香剤を前記軟質材を押圧することで前記マスク内に放出するようにしている。芳香剤は軟質材に含侵されていても構わないし、軟質材内に設けられた別体の容器に収納されていても構わないものである。耳掛け部４の上側に軟質材でできた痛み軽減手段５が設けられていると、芳香剤がマスク内全体に短時間で効率よく広がるものである。又、軟質材の上下を指で摘まめばマスクの着脱が簡単にできるものである。
【符号の説明】
【００１３】１    マスク
２    収納ポケット
３    口覆い部
４    耳掛け部
５    痛み軽減手段
【図１】
0003234536.tif 000003
(57)【要約】      （修正有）【課題】丸いねぎ焼きを鯛の形にした、ねぎ焼きの型を提供する。【解決手段】鯛焼きの型の鯛の形をした中に生地とねぎを入れて両面を焼くことで、ねぎ焼き鯛を作ることができる。【選択図】図１
0003234586.tif 000002
【実用新案登録請求の範囲】
【請求項１】
鯛の形をしたねぎ焼きであり、鯛焼きの型で丸いねぎ焼きではなく、鯛の型で焼き上げることを特徴とするねぎ焼き鯛。
【考案の詳細な説明】
【技術分野】
【０００１】本考案は、一般的にねぎ焼きは丸い物であったが鯛焼きの形をしたねぎ焼きを焼くことである。
【背景技術】
【０００２】今まではねぎ焼は丸い形をした物と思われていた。
【考案の概要】
【考案が解決しようとする課題】
【０００３】鯛焼きの型で、丸かったねぎ焼きを鯛の形にすることができた。【０００４】本考案は、鯛焼きの型で焼くことで今まで丸い形をしていたねぎ焼きが鯛の形になった。
【考案の効果】
【０００５】本考案により今までの丸い形から鯛の形になることで楽しんでいただける。
【図面の簡単な説明】
【０００６】
【図１】図１、上から見た図
【図２】図２、ねぎ焼き鯛の型に入れたねぎと生地
【考案を実施するための考案】
【０００７】鯛焼きの型にねぎ焼きの生地を敷き、その上にねぎを乗せて焼くことでねぎ焼き鯛ができる。
【実施例】
【０００８】鯛焼きの型は▲１▼上の台と▲２▼下の台からなる開閉式の取っ手ついている物であり▲４▼下の台の鯛の型の中に▲５▼生地と▲６▼ねぎを入れて上の台をかぶせて両面を焼くことでねぎ焼き鯛ができる。
【符号の説明】
【０００９】▲１▼上の台▲２▼下の台▲３▼取っ手▲４▼鯛の型▲５▼生地▲６▼ねぎ
【図１】
0003234586.tif 000003
【図２】
0003234586.tif 000004
【手続補正書】
【提出日】令和3年3月3日(2021.3.3)
【手続補正１】
【補正対象書類名】図面
【補正対象項目名】全図
【補正方法】変更
【補正の内容】
【図１】
0003234586.tif 000005
【図２】
0003234586.tif 000006